(57)【要約】【課題】内気の汚染度を検出する空気質センサの検出結果と判定基準値とを比較して、内外気モードを自動的に切り替える場合に、乗員が判定基準値を変更しなくても、内外気モードの自動的な切り替えを適切に行うことができる車両用空調装置を提供する。【解決手段】内気の汚染度を検出するための空気質センサ４４と、空調ケース内に内気が導入されているときに、空気質センサ４４の出力に基づく検出結果が判定基準値を超える場合に、外気の導入割合を増大させるように、内外気切換ドアの作動を制御する制御装置と、内気温度を検出する内気温センサ３９とを備え、制御装置は、内気温度が変化したとき、内気温度に応じて判定基準値を自動的に変更する。このとき、内気が汚染した場合の判定基準値までの到達時間が内気温度によって異ならないように、判定基準値を変更する。【選択図】図２
2014046735.tif 000002
【特許請求の範囲】
【請求項１】
内気と外気とを所定の割合にて内部に導入し、車室内に向かって空調風を吹き出す空調ケース（１１）と、
前記空調ケースに設けられ、前記空調ケース内に導入される内気と外気の割合を変更する導入割合変更手段（１２）と、
内気の汚染度を検出するための空気質センサ（４４）と、
前記空調ケース内に内気が導入されているときに、前記空気質センサの出力に基づく検出結果（Ln）が判定基準値（Ls）を超える場合に、外気の導入割合を増大させるように、前記導入割合変更手段の作動を制御する制御装置（３０）と、
前記空気質センサの近傍温度を検出する温度センサ（３９）とを備え、
前記制御装置は、前記温度センサの検出温度が変化したとき、前記温度センサの検出温度が低いほど、内気が汚染した場合に前記検出結果が前記判定基準値に到達するまでの時間を短縮させる方向に、前記判定基準値を変更することを特徴とする車両用空調装置。
【請求項２】
前記温度センサは、空調制御のために車室内に設けられ、内気の温度を検出する内気温センサ（３９）であることを特徴とする請求項１に記載の車両用空調装置。
【請求項３】
前記温度センサは、前記空気質センサに設けられていることを特徴とする請求項１に記載の車両用空調装置。
【請求項４】
前記判定基準値を変更するために、乗員によって操作される操作手段（３５、３８）を備え、
前記制御装置は、前記温度センサの検出温度が変化しないときに、乗員が前記操作手段を操作した場合に、その操作に応じて前記判定基準値を変更することを特徴とする請求項１ないし３のいずれか１つに記載の車両用空調装置。
【発明の詳細な説明】
【技術分野】
【０００１】
本発明は、車両用空調装置に関するものである。
【背景技術】
【０００２】
従来、外気（車室外空気）の汚れに応じて内外気モードを自動的に切り替える車両用空調装置がある。この空調装置は、車室外に設けられた排ガスセンサによって外気の汚染度を検出し、排ガスセンサの検出結果が判定基準値より大きいときに、外気のみを空調ケース内に導入する外気導入モードから内気（車室内空気）のみを空調ケース内に導入する内気循環モードに切り替えている（例えば、特許文献１等参照）。
【０００３】
ここで、この判定基準値が全ての車両で同じ場合、外気の汚れ度合いに対する乗員の感覚に個人差があるため、乗員によっては、外気導入モード（以下、外気モードという）から内気循環モード（以下、内気モードという）への切り替わりが遅く、汚れた外気が車室内に導入されることによって乗員が不快に感じてしまう。
【０００４】
そこで、特許文献１に記載の車両用空調装置では、判定基準値を乗員が手動で変更可能な構成としている。これによれば、乗員が自分の感覚に応じて判定基準値を変更することができるので、汚れた外気にて乗員に不快感を与えないようにすることができる。
【先行技術文献】
【特許文献】
【０００５】
【特許文献１】特許第３３３６９１７号公報
【発明の概要】
【発明が解決しようとする課題】
【０００６】
ところで、近年の車両における空調制御では、空調ケース内に内気を優先的に導入する内気化が進んでいる。このため、車室内に持ち込んだ食べ物や乗員が吐く息等によって、内気が汚染しやすくなる。
【０００７】
そこで、この対策として、空気の汚染度を検出するための空気質センサを車室内に設け、内外気モードが内気モードのときに、空気質センサの検出結果と判定基準値とを比較し、この出力結果が判定基準値を超え、内気が汚染していると判断された場合に、内気モードを外気モードに自動的に切り替えるようにすることが考えられる。
【０００８】
しかし、車室内は、冬季のウォームアップ時や夏季のクールダウン時のように、車室内は温度が急変する環境である。冬季では、空調開始直後の低温（例えば−３０℃〜０℃）から設定温度（常温）に向かって連続して上昇し続け（ウォームアップ）、夏季では、空調開始直後の高温（例えば８０℃）から設定温度（常温）に向かって連続して下降し続ける（クールダウン）。外気も夜と昼のように一日にわたって温度が変動するが、このように内気の方が外気よりも短時間で大きく温度が変動する。
【０００９】
また、一般的な空気質センサは、センサ近傍温度に応じて応答性能が変わる性質（温度特性）を有している。
【００１０】
このため、判定基準値が常に一定の場合、図９に示すように、空気質センサの検出結果が判定基準値までに到達する到達時間が、センサ近傍温度である車室内温度によって異なってしまう。この結果、内気モードから外気モードへの切り替わりのタイミングが車室内温度によって異なり、乗員が不快に感じてしまう。
【００１１】
例えば、ウォームアップ時では、車室内温度が低温なので、車室内温度が常温の場合と比較して、内気モードから外気モードへの切り替わりが遅れる。この場合、内気の汚染により乗員が不快に感じる。
【００１２】
クールダウン時では、車室内温度が高温なので、車室内温度が常温の場合と比較して、内気モードから外気モードへの切り替わりが早くなる。この場合、乗員が音などで内外気モードの切り替わりを感じたときに、内気が汚れていないのに外気モードに切り替わることで、乗員が不快に感じる。なお、この場合、内気が比較的汚れていない状態でも、外気モードへ切り替わるため、内外気モードの切り替わりの頻度が増加し、内外気切換ドアが頻繁に作動するため、内外気切換ドアのアクチュエータの寿命が短くなるという問題も生じる。
【００１３】
そこで、この対策として、特許文献１に記載の車両用空調装置のように、判定基準値までの到達時間が一定となるように、判定基準値を乗員によって手動で変更可能とすることが考えられる。
【００１４】
外気の汚れに応じて内外気モードを自動的に切り替える場合であって、外気温に応じて判定基準値を乗員が手動で変更する場合であれば、外気温は急変しないので、朝、昼、夜等の数回だけ、判定基準値を乗員が手動で変更すれば良い。
【００１５】
しかし、内気の汚れに応じて内外気モードを自動的に切り替える場合であって、車室内温度に応じて判定基準値を乗員が手動で変更する場合、ウォームアップやクールダウン時では、車室内温度が設定温度に向かって連続して変動するため、空調開始時から車室内温度が安定するまでの期間、判定基準値を頻繁に変更しなければならず、乗員の手間がかかるという問題が生じる。また、判定基準値を変更するために、運転中に乗員が頻繁に操作することは安全面上好ましくない。
【００１６】
なお、上記した問題は、内気モードと外気モードとを自動的に切り替える場合に限らず、内外気混入モードで内気と外気との導入割合を自動的に変更する車両用空調装置においても、同様に発生するものである。
【００１７】
本発明は上記点に鑑みて、乗員が判定基準値を変更しなくても、内気と外気との導入割合の自動的な変更を適切に行うことができる車両用空調装置を提供することを目的とする。
【課題を解決するための手段】
【００１８】
上記目的を達成するため、請求項１に記載の発明では、
内気と外気とを所定の割合にて内部に導入し、車室内に向かって空調風を吹き出す空調ケース（１１）と、
空調ケースに設けられ、空調ケース内に導入される内気と外気の割合を変更する導入割合変更手段（１２）と、
内気の汚染度を検出するための空気質センサ（４４）と、
空調ケース内に内気が導入されているときに、空気質センサの出力に基づく検出結果（Ln）が判定基準値（Ls）を超える場合に、外気の導入割合を増大させるように、導入割合変更手段の作動を制御する制御装置（３０）と、
空気質センサの近傍温度を検出する温度センサ（３９）とを備え、
制御装置は、温度センサの検出温度が変化したとき、温度センサの検出温度が低いほど、内気が汚染した場合に検出結果が判定基準値に到達するまでの時間を短縮させる方向に、判定基準値を変更することを特徴とする。
【００１９】
本発明では、空気質センサの近傍温度が変化したときに、空気質センサの近傍温度が低いほど、内気が汚染した場合に空気質センサの検出結果が判定基準値に到達するまでの到達時間を短縮させる方向に、判定基準値を変更するので、判定基準値が常に一定の場合と比較して、車室内温度による到達時間の差を縮めることができる。
【００２０】
これにより、本発明によれば、乗員が判定基準値を変更しなくても、内気と外気との導入割合の自動的な変更を適切に行うことができる。
【００２１】
なお、この欄および特許請求の範囲で記載した各手段の括弧内の符号は、後述する実施形態に記載の具体的手段との対応関係を示す一例である。
【図面の簡単な説明】
【００２２】
【図１】第１実施形態における車両用空調装置の全体構成を示す図である。
【図２】第１実施形態における空気質センサの配置場所を示す図である。
【図３】第１実施形態における内外気切換の制御内容を示すフローチャートである。
【図４】図３に示す内外気切換の制御で用いる判定基準値の変更マップである。
【図５】比較例１におけるガス濃度変化に伴う内外気切換を示すタイミングチャートである。
【図６】比較例２における判定基準値とセンサ近傍温度との関係を示す図である。
【図７】第１実施形態におけるガス濃度変化に伴う内外気切換を示すタイミングチャートである。
【図８】第２実施形態における内外気切換の制御内容を示すフローチャートである。
【図９】本発明の課題を説明するための図であって、車室内のガス濃度が低濃度から高濃度に変わった際に、空気質センサの出力に基づく検出結果が判定基準値に到達するまでの時間とセンサ近傍温度との関係を示す図である。
【発明を実施するための形態】
【００２３】
以下、本発明の実施形態について図に基づいて説明する。なお、以下の各実施形態相互において、互いに同一もしくは均等である部分には、同一符号を付して説明を行う。
【００２４】
（第１実施形態）
車両用空調装置は、室内空調ユニット１０と空調制御装置３０とを備えている。室内空調ユニット１０は、車室内最前部の計器盤（インストルメントパネル）の内側に配置されて、その外殻を形成する空調ケース１１内に送風機、蒸発器、凝縮器、ヒータコア等を収容したものである。
【００２５】
空調ケース１１は、車室内に送風される空気の通路を形成しており、内気と外気とを所定の割合にて内部に導入した後、車室内に向かって空調風を吹き出す。空調ケース１１内の空気流れ最上流側には、内気と外気とを切替導入する内外気切替箱１１１が配置されている。
【００２６】
内外気切替箱１１１には、空調ケース１１内に内気を導入させる内気導入口１１２および外気を導入させる外気導入口１１３が形成されている。さらに、内外気切替箱１１１の内部には、サーボモータ等の電動アクチュエータ１２ａによって駆動され、内外気モードを切り替える内外気切替ドア１２が配置されている。内外気切替ドア１２は、内気導入口１１２および外気導入口１１３の開口面積を調整して、内気の風量と外気の風量との風量割合を変更するものである。したがって、内外気切替ドア１２は、空調ケース１１内に導入される内気と外気の割合を変更する導入割合変更手段を構成する。
【００２７】
本実施形態では、内外気モードとして、内気導入口１１２を全開とするとともに外気導入口１１３を全閉として空調ケース１１内へ内気のみを導入する内気モードと、内気導入口１１２を全閉とするとともに外気導入口１１３を全開として空調ケース１１内へ外気のみを導入する外気モードとが切り替えられる。したがって、本実施形態では、内気と外気の導入割合を、内気と外気のいずれか一方が０％となるように変更している。また、内気モードから外気モードへ切り替わった場合、外気の導入割合が０％から１００％に増大することとなる。
【００２８】
内外気切替箱１１１の空気流れ下流側には、内外気モードに応じた所定割合の内気と外気とを吸入し、吸入した空気を車室内へ向けて送風する送風機１３が配置されている。送風機は、遠心多翼ファン１３ａを電動モータ１３ｂにて駆動する電動送風機である。
【００２９】
送風機の空気流れ下流側には、蒸発器１４が配置されている。蒸発器１４は冷却用熱交換器であって、図示しない圧縮機等と結合されて冷凍サイクルを構成し、その内部の低圧冷媒が空気から吸熱して蒸発することにより空気を冷却する。
【００３０】
さらに、蒸発器１４の空気流れ下流側には、ヒータコア１５が配置されている。ヒータコア１５は加熱用熱交換器であって、図示しない車両エンジンの冷却水（温水）が内部を循環し、このエンジン冷却水を熱源として空気を加熱する。
【００３１】
ヒータコア１５の上流側には、吹出空気温度調整手段としてのエアミックスドア１６が設けられている。エアミックスドア１６の開度は電動アクチュエータ１６ａにより駆動されて調節される。これによって、ヒータコア１５を通過する空気とヒータコア１５をバイパスする空気の割合とが調整され、車室内に吹き出す空気の温度が調整される。
【００３２】
空調ケースの最下流には、デフロスタ（ＤＥＦ）吹出口１７を開閉するデフロスタドア１８、フェイス（ＦＡＣＥ）吹出口１９を開閉するフェイスドア２０、およびフット（ＦＯＯＴ）吹出口２１を開閉するフットドア２２が設けられている。
【００３３】
これら各ドア１８、２０、２２は吹出モード切替手段を構成するもので、アクチュエータ２３により駆動されて各吹出口１７、１９，２１を開閉することによって各種の吹出モード（フェイスモード、バイレベルモード、フットモード、フットデフモード、デフロスタモード等）が設定される。そして、各吹出モードに応じて開口した吹出口から、温度調整された空気が車室内へ吹き出される。
【００３４】
空調制御装置３０は、ＣＰＵ、ＲＯＭおよびＲＡＭ等を含む周知のマイクロコンピュータ３１とその周辺回路から構成され、そのＲＯＭ内に記憶された空調制御プログラムに基づいて各種演算、処理を行い、駆動回路３２を介して、出力側に接続された内外気切替ドア１２用の電動アクチュエータ１２ａの作動を制御する。なお、送風機１３の電動モータ１３ｂ、他の電動アクチュエータ１６ａ、２３も、マイクロコンピュータ３１からの出力信号に基づいて駆動回路３２にて制御される。
【００３５】
マイクロコンピュータ３１には、車室内計器盤に設置された空調操作部（空調操作パネル）３３から操作信号が入力される。この空調操作部３３には、空調装置の自動制御状態を設定するＡＵＴＯスイッチ３４、内外気モードを手動で切替設定するための内外気切替スイッチ３５、吹出モードを手動で切替設定するための吹出モード切替スイッチ３６、ファン２３の送風量を手動で切替設定するための送風量切替スイッチ３７、乗員の好みの車室内温度を設定するための温度設定スイッチ３８等が設けられている。
【００３６】
また、マイクロコンピュータ３１には、車室内の空調状態に影響を及ぼす環境条件を検出する信号として、内気温度ＴＲを検出する内気温センサ３９、外気温度ＴＡＭを検出する外気温センサ４０、車室内に入射する日射量ＴＳを検出する日射センサ４１、蒸発器温度ＴＥを検出する蒸発器温度センサ４２、ヒータコア１５を循環するエンジン水温ＴＷを検出する水温センサ４３等からの各信号が入力される。
【００３７】
さらに、マイクロコンピュータ３１には、内気の汚染度を検出するための空気質センサ（ガスセンサ）４４からの出力信号が入力される。空気質センサ４４は、内気の汚染度として、空気中の飲食物の臭いやＣＯ２等の検出対象ガスの濃度変化（汚染度）を検出する。空気質センサ４４は、図２に示すように、インストルメントパネルのうち内気温センサ３９の隣りに設けられる。このため、内気温センサ３９によって空気質センサ４４の近傍温度が検出される。
【００３８】
空気質センサ４４としては、例えば、金属酸化物半導体（ＳｉＯ２、ＳｎＯ２等）からなるセンサ素子（図示せず）と、センサ素子の表面を加熱する電気ヒータ（図示せず）とを備え、センサ素子表面での検出対象ガスの酸化・還元反応によってセンサ素子の抵抗値が変化する現象を利用したものが採用される。センサ素子表面の周囲温度が空気質センサ４４の近傍温度である。半導体素子が金属酸化物半導体からなり、電気ヒータを用いる空気質センサは、上述の通り、温度特性を有している。なお、電気ヒータの加熱温度は検出対象ガスによって異なる。
【００３９】
空調制御装置３０は、図３に示すように、空気質センサ４４の出力に基づく検出結果に応じて、内外気の導入割合を決定し、内外気切替ドア１２の作動を制御する。この制御は、ＡＵＴＯスイッチ３４がオンの状態のときに実行される。また、ＡＵＴＯスイッチ３４がオンの状態に初めてなったときでは、内気モードが自動的に選択され、タイマーが初期化され、空気質センサ４４の電気ヒータが通電される。なお、図３中の各ステップの機能は、空調制御装置３０が有する各機能手段に相当する。
【００４０】
まず、ステップＳ１０では、空気質センサ４４がウォームアップ中であるか否かを判定する。具体的には、空気質センサ４４の電気ヒータの通電開始からの経過時間が所定時間よりも短いか否かを判定する。所定時間とは、ヒータ温度が安定するまでの時間である。この判定をするのは、電気ヒータの温度が安定するまでの時間、空気質センサ４４の出力値を使用しないようにするためである。所定時間を経過するまで、このステップＳ１０が繰り返され、所定時間を経過して空気質センサ４４のウォームアップが終了すると、ステップＳ２０に進む。
【００４１】
ステップＳ２０では、ステップＳ３０での初期設定のために、センサ近傍温度（Tsen）を内気温センサ３９の出力信号から取得する。
【００４２】
ステップＳ３０では、判定基準値および前回のセンサ近傍温度（Tsen_old）の初期設定を行う。判定基準値（Ls）については、ＲＯＭ等の記憶手段に予め記憶されている図４に示すマップを用いて、ステップＳ２０で取得したセンサ近傍温度（Tsen）に応じた判定基準値（Ｌｓ）を初期値としてセットする。また、前回のセンサ近傍温度（Tsen_old）については、ステップＳ２０で取得したセンサ近傍温度（Tsen）を初期値としてセットする。
【００４３】
続いて、ステップＳ４０では、ガス濃度基準値（Rair）を設定する。ガス濃度基準値は、後述するガス濃度変化率（Ln）を算出する上での基準値である。ガス濃度基準値（Rair）の設定方法としては、種々の方法があるが、本実施形態では、乗員が乗車したときの車室内のガス濃度における半導体素子の抵抗値をガス濃度基準値とする。具体的には、空気質センサ４４のウォームアップ直後における空気質センサ４４の出力電圧からセンサ素子の抵抗値を算出する。
【００４４】
続いて、ステップＳ５０では、空気質センサ４４の出力電圧から現在のガス濃度におけるセンサ素子の抵抗値（Rgas）を算出する。
【００４５】
続いて、ステップＳ６０では、ガス濃度変化率（Ln）を算出する。ガス濃度変化率（Ln）は、下記式の通り、ガス濃度基準値（Rair）から現在のガス濃度における抵抗値（Rgas）が変化した割合を示す。
【００４６】
Ln＝Rgas／Rair
続いて、ステップＳ７０では、センサ近傍温度（Tsen）を内気温センサ３９の出力信号から取得する。
【００４７】
続いて、ステップＳ８０では、ステップＳ７０で取得した今回のセンサ近傍温度（Tsen）と前回のセンサ近傍温度（Tsen_old）を比較し、センサ近傍温度が変化したか否かを判定する。温度差が所定値よりも小さい場合、センサ近傍温度は変化無しと判定して、ステップＳ１１０に進む。一方、温度差が所定値よりも大きい場合、センサ近傍温度が変化したと判定して、ステップＳ９０に進む。
【００４８】
ステップＳ９０では、判定基準値（Ls）を、ステップＳ７０で取得した今回のセンサ近傍温度（Tsen）に応じた判定基準値（Ls）に変更する。具体的には、図４に示すマップを用いて、ステップＳ７０で取得した今回のセンサ近傍温度（Tsen）に応じた判定基準値（Ls）を求め、この判定基準値（Ls）を新しい判定基準値（Ls）に設定する。図４に示すマップは、センサ近傍温度が低いほど、判定基準値が小さくなるように、判定基準値を変更するものである。すなわち、センサ近傍温度によらず、ガス濃度変化率（Ln）が判定基準値に到達するまでの到達時間が一定となるように、判定基準値を変更するものである。
【００４９】
続いて、ステップＳ１００では、ステップＳ７０で取得したセンサ近傍温度（Tsen）を、前回のセンサ近傍温度（Tsen_old）へ設定する（Tsen_old＝Tsen）。
【００５０】
ステップＳ１１０では、内外気判定処理を行う。すなわち、ガス濃度変化率（Ln）と判定基準値（Ls）を比較し、内外気モードの制御判定値（DL）を算出する。
【００５１】
ここで、ガス濃度が低濃度から高濃度へ変化したときに、空気質センサ４４の出力電圧から算出した抵抗値（Rgas）が増大する場合、ガス濃度変化率（Ln）も増大する。この場合、ガス濃度変化率（Ln）が判定基準値（Ls）よりも大きいとき、車室内空間はガス濃度が高く、換気が必要な状態であるので、外気モードを選択する。一方、ガス濃度変化率（Ln）が判定基準値（Ls）よりも小さいとき、車室内空間は換気が必要なほどガス濃度が高くないので、内気モードを選択する。
【００５２】
ステップＳ１２０では、内外気モードの制御判定値（DL）に応じて、内外気切換ドア１３の作動制御信号を出力する。その後、ステップＳ５０に戻る。
【００５３】
内外気モードが内気モードのときに、ステップＳ１１０で、内気モードが選択された場合、ステップＳ１２０では、内外気切換ドア１３の位置は変更されず、再び、ステップＳ５０〜ステップＳ１１０が実行される。
【００５４】
この制御によれば、車室内空間のガス濃度が高濃度になるまでは、ステップＳ５０〜ステップＳ１２０が繰り返し実行される。
【００５５】
そして、車室内空間のガス濃度が高濃度になると、ステップＳ１１０、Ｓ１２０により、内外気切換ドア１３が外気モードの位置となり、車室内空間に外気が導入されて換気される。
【００５６】
その後、外気モードの状態で、ステップＳ５０〜ステップＳ１２０が繰り返し実行される。車室内空間の換気が進み、ガス濃度が高濃度から低濃度になると、ステップＳ１１０、Ｓ１２０により、再び、内気モードとなる。
【００５７】
次に、本実施形態の効果を説明する。
【００５８】
まず、比較例１として、判定基準値が自動変更されず、判定基準値が一定の場合について説明する。比較例１は、判定基準値が自動変更されないこと以外は、本実施形態と同じである。以下では、冬季のウォームアップ時を例に説明する。
【００５９】
図５に示すように、ガス濃度が低濃度から高濃度へ変化した際、変化直後からの経過時間を横軸とし、ガス濃度変化率（Ln）を縦軸としたときに、ガス濃度変化率（Ln）が描く曲線は、空気質センサ４４が設置された環境の温度（センサ近傍温度）によって異なる。具体的には、低温環境では、常温環境よりもガス濃度変化率（Ln）の傾きが小さい。このように、環境温度が高いほど、ガス濃度変化率（Ln）の傾きが大きくなり、温度が低いほど、ガス濃度変化率（Ln）の傾きが小さくなる。このため、判定基準値（Ls）が一定の場合、ガス濃度変化率（Ln）が判定基準値に到達するまでの時間は、環境温度が低いほど長くなり、環境温度が低いほど内気モードから外気モードへの切り替わりが遅くなる（図９参照）。
【００６０】
したがって、冬季のウォームアップ時の車室内温度は低温であり、ウォームアップ後の車室内温度は設定温度付近の常温であるので、ウォームアップ時では、ウォームアップ後と比較して、内気モードから外気モードへの切り替わりに（Ｔ２−Ｔ１）時間の遅れが生じてしまう。
【００６１】
また、比較例２として、乗員操作による判定基準値の変更が可能であって、図６に示すように、ウォームアップ時に乗員が手動によって判定基準値を変更する場合を説明する。この場合、車室内温度は、設定温度に近づくように温度が上昇し続けるため、乗員が頻繁に変更操作をしなければならない。したがって、乗員が判定基準値を変更することは、乗員の手間がかかるとともに、安全面上に問題があることから好ましくない。
【００６２】
これに対して、本実施形態では、ステップＳ８０、Ｓ９０での説明の通り、図４のマップを用いて、センサ近傍温度に応じて判定基準値を自動的に変更している。
【００６３】
ここで、図４に示すマップは、同じガス濃度条件でガス濃度が低濃度から高濃度へ変わる際に、センサ近傍温度によらず、ガス濃度変化率（Ln）が判定基準値に到達するまでの到達時間が一定となるように作成されたものである。このようなマップは、実験およびシミュレーション等により作成される。
【００６４】
これにより、図７に示すように、ガス濃度が低濃度から高濃度へ変化した際、ウォームアップ時（低温環境）とウォームアップ後（常温環境）のどちらも、内気モードから外気モードへの切り替わりの時間を同じＴ１とすることができる。
【００６５】
また、ウォームアップ時の温度が変動し続ける場合でも、内気モードから外気モードへの切り替わりの時間が同じＴ１となるように、センサ近傍温度に応じて判定基準値を自動的に変更するので、乗員に不快感を与えずに、内気モードと外気モードとの自動的な切り替えを適切に行うことができる。さらに、乗員による判定基準値の変更操作が不要なので、乗員の手間がかからず、安全面でもうれしさがある。
【００６６】
また、本実施形態では、内気温センサ３９によってセンサ近傍温度を取得しているので、センサ近傍温度を取得するための温度センサを別途設けなくても良い。なお、空気質センサ４４に温度センサが一体化されている場合のように、空気質センサ４４が専用の温度センサを備える場合では、その温度センサの測定温度をセンサ近傍温度として用いても良い。
【００６７】
（第２実施形態）
本実施形態は、第１実施形態の内外気モードの切替制御に対して、乗員による手動操作によって判定基準値を変更できるようにしたものである。
【００６８】
本実施形態では、判定基準値を変更するために、乗員によって操作される操作手段として、特許文献１と同様に、空調操作部３３の内外気スイッチ３５と温度設定スイッチ３８が用いられる。乗員が内外気スイッチ３５を所定操作（例えば、長押し）して、判定基準値の変更が可能な状態となったときに、乗員が温度設定スイッチ３８を操作することによって、図６に示すように、判定基準値（Ls）を変更できる。なお、操作手段として、判定基準値を変更するための専用スイッチを空調操作部３３に設け、この専用スイッチを乗員が操作することによって判定基準値を変更できるようにしても良い。
【００６９】
空調制御装置３０は、図８に示すように、空気質センサ４４の出力の基づく検出結果に応じて、内外気の導入割合を決定し、内外気切替ドア１２の作動を制御する。図８中のステップＳ８１、Ｓ９１以外は、図３と同じであるので、ここでは、ステップＳ８１、Ｓ９１について説明する。
【００７０】
ステップＳ８０でセンサ近傍温度に変化無しと判定（ＮＯ判定）した場合、ステップＳ８１に進む。ステップＳ８１では、判定基準値（Ls）の手動変更がされたか否かを判定する。具体的には、空調操作部３３から入力された操作信号に基づいて、判定基準値を変更するための操作手段が乗員によって操作されたか否かを判定する。
【００７１】
そして、乗員によって操作手段が操作された場合（ＹＥＳ判定の場合）、ステップＳ９１において、操作手段の操作内容に応じて判定基準値を変更する。一方、乗員による操作手段の操作が無い場合（ＮＯ判定の場合）、判定基準値を変更せず、ステップＳ１１０に進む。
【００７２】
本実施形態では、ウォームアップ後やクールダウン後のように車室内温度が安定しており、内気温センサ３９の検出温度（センサ近傍温度）が変化しないときに、乗員が操作手段を操作することで、ステップＳ８１、Ｓ９１によって、乗員の変更要望に応じて判定基準値を変更できる。このため、本実施形態によれば、乗員の空気汚染度に対する感覚に合わせて、内外気モードを切り替えることができる。
【００７３】
また、本実施形態によれば、判定基準値を変更するための乗員によって操作される操作手段として、空調操作部３３の内外気スイッチ３５と温度設定スイッチ３８とを用いており、既存のスイッチを利用しているので、新たに専用のスイッチを設けずに済む。なお、空調操作部３３の他のスイッチを利用しても良い。
【００７４】
（他の実施形態）
（１）上述の各実施形態では、ステップＳ９０において、図４に示すマップを用いて、同じガス濃度条件でガス濃度が低濃度から高濃度へ変わる際に、センサ近傍温度によらず、ガス濃度変化率（Ln）が判定基準値（Ls）に到達するまでの到達時間が一定となるように、判定基準値を変更したが、到達時間が必ずしも一定とならなくても良い。
【００７５】
センサ近傍温度が変化したときに、センサ近傍温度が低いほど、判定基準値が小さくなるように、すなわち、内気が汚染していない状態から汚染した状態に切り替わった場合にガス濃度変化率（Ln）が判定基準値（Ls）に到達するまでの到達時間を短縮させる方向に、判定基準値（Ls）を変更すれば良い。
【００７６】
これによれば、判定基準値が常に一定の場合と比較して、車室内温度による到達時間の差を縮めることができ、内気モードから外気モードへの切り替わりのタイミングが車室内温度によって異なることで乗員が不快に感じてしまうことを抑制できる。
【００７７】
（２）上述の各実施形態では、ステップＳ１１０において、ガス濃度が低濃度から高濃度へ変化したときに、空気質センサ４４の出力電圧から算出した抵抗値（Rgas）が増大し、ガス濃度変化率（Ln）が増大する場合を例として説明したが、空気質センサ４４の検出対象となるガスの種類によって、ガス濃度が低濃度から高濃度に変化したときのガス濃度変化率（Ln）の増減方向が逆の関係となる。
【００７８】
そこで、ガス濃度が低濃度から高濃度へ変化したときに、空気質センサの出力電圧から算出した抵抗値（Rgas）が減少し、ガス濃度変化率（Ln）も減少する場合では、ガス濃度変化率（Ln）が判定基準値（Ls）よりも小さいとき、外気モードを選択し、ガス濃度変化率（Ln）が判定基準値（Ls）よりも大きいとき、内気モードを選択する。
【００７９】
このように、ガス濃度が低濃度から高濃度に変化したときのガス濃度変化率（Ln）の増減方向がどちらの場合であっても、ガス濃度が低濃度から高濃度へ変化し、ガス濃度変化率（Ln）が判定基準値（Ls）を超えたときに、外気モードを選択する。なお、ガス濃度変化率が判定基準値を超えるとは、内気が汚染したときのガス濃度変化率が、内気が汚染していないときのガス濃度変化率に対して判定基準値を挟んだ反対側に属することを意味する。
【００８０】
（３）上述の各実施形態では、内外気モードとして内気モードと外気モードの一方を選択して切り替える場合を説明したが、この場合に限らず、内外気モードとして内外気混入モードが選択される場合においても本発明の適用が可能である。
【００８１】
内外気混入モードは、内気モードと外気モードとの間で、内外気切換ドア１３によって内気導入口１１２および外気導入口１１３の開口面積を連続的に調整することにより、内気と外気の導入割合を連続的に変化させる導入口モードである。
【００８２】
空調制御装置３０は、内外気混入モードで、空調ケース内に内気と外気とが導入されているときに、空気質センサ４４の出力電圧に基づいて算出されたガス濃度変化率（Ln）が判定基準値（Ls）を超える場合に、外気の導入割合を増大させるように、内外気切換ドア１３の作動を制御する。なお、判定基準値の変更の仕方については、上述の各実施形態と同様である。
【００８３】
（４）上述の各実施形態では、空気質センサ４４の設置場所を、インストルメントパネルのうち内気温センサ３９の隣りとしたが、内気の汚染度を検出できれば、他の位置に変更しても良い。例えば、空調ケース１１の内部のうち内気導入口１１２の近傍としても良い。
【００８４】
（５）上述の各実施形態では、空気質センサ４４の出力に基づく検出結果として、ガス濃度変化率（Ln）を用いたが、内気の汚染度が検出できれば、他のものを用いても良い。例えば、空気質センサ４４の出力電圧から抵抗値を求め、前回の抵抗値に対する現在の抵抗値の変化率を算出し、これを判定基準値と比較する。また、空気質センサ４４の出力電圧からガス濃度の絶対値を算出し、これを判定基準値と比較しても良い。
【００８５】
（６）上述の各実施形態では、内外気モードの切替制御を空調制御装置３０で行ったが、空調制御装置３０とは別の制御装置（ハードウェア）で行っても良い。この場合、内外気モードの切替制御を行う制御装置が本発明の制御装置に相当する。また、図３や図８に示す制御を、複数の制御装置で分担して実行しても良く、この場合、複数の制御装置が本発明の制御装置に相当する。
【００８６】
（７）上述の各実施形態を実施可能な範囲で組み合わせても良い。
【符号の説明】
【００８７】
１０    空調ユニット
１１    空調ケース
１２    内外気切換ドア（導入割合変更手段）
３０    空調制御装置
３９    内気温センサ（温度センサ）
４４    空気質センサ
【図１】
2014046735.tif 000003
【図２】
2014046735.tif 000004
【図３】
2014046735.tif 000005
【図４】
2014046735.tif 000006
【図５】
2014046735.tif 000007
【図６】
2014046735.tif 000008
【図７】
2014046735.tif 000009
【図８】
2014046735.tif 000010
【図９】
2014046735.tif 000011